(57)【要約】【課題】管理負担を伴わずに場所に関連する時空間を横断したコミュニケーションが実現可能な投稿閲覧装置及び投稿閲覧システムを提供する。【解決手段】掲示板サーバ１は、ビーコンＩＤを投稿コンテンツに対応付けて記憶するコンテンツＤＢ２２と、投稿コンテンツに関する要求データを携帯端末４から受信したことに応じて、要求データに含まれるビーコンＩＤによって、要求データに対応する投稿又は閲覧を許可するか否かを判断する許可判断部１２と、許可判断部１２により閲覧を許可すると判断された場合に、ビーコンＩＤに基づいてコンテンツＤＢ２２から投稿コンテンツを抽出して携帯端末４に送信するコンテンツ送信部１４と、許可判断部１２により投稿を許可すると判断された場合に、要求データに含まれる投稿コンテンツに、ビーコンＩＤを対応付けて、コンテンツＤＢ２２に記憶させるコンテンツ登録部１５とを備える。【選択図】図２
2017068579.tif 000002
【特許請求の範囲】
【請求項１】
地理上の基準位置に関する位置情報を、投稿コンテンツに対応付けて記憶するコンテンツ記憶部と、
投稿コンテンツに関する要求情報を携帯端末から受信したことに応じて、前記要求情報に含まれる前記携帯端末の現在位置を示す端末位置情報によって、前記要求情報に対応する投稿又は閲覧を許可するか否かを判断する許可判断手段と、
前記許可判断手段により閲覧を許可すると判断された場合に、前記端末位置情報に基づいて前記コンテンツ記憶部から投稿コンテンツを抽出して、前記携帯端末に送信するコンテンツ送信手段と、
前記許可判断手段により投稿を許可すると判断された場合に、前記要求情報に含まれる投稿コンテンツに、前記端末位置情報に基づく前記位置情報を対応付けて、前記コンテンツ記憶部に記憶させるコンテンツ登録手段と、
を備える投稿閲覧装置。
【請求項２】
請求項１に記載の投稿閲覧装置において、
前記コンテンツ登録手段は、前記投稿コンテンツに、投稿日時情報を対応付けて、前記コンテンツ記憶部に記憶させ、
前記コンテンツ送信手段は、前記コンテンツ記憶部から抽出した投稿コンテンツに対応する前記投稿日時情報に基づいて前記投稿コンテンツの表示態様を変化させて、その投稿コンテンツを前記携帯端末に送信すること、
を特徴とする投稿閲覧装置。
【請求項３】
請求項１又は請求項２に記載の投稿閲覧装置において、
前記コンテンツ登録手段は、前記投稿コンテンツに、前記位置情報からの距離に関する距離情報を対応付けて、前記コンテンツ記憶部に記憶させ、
前記コンテンツ送信手段は、前記端末位置情報と前記位置情報との間の距離に基づいて前記コンテンツ記憶部から投稿コンテンツを抽出して、前記携帯端末に送信すること、
を特徴とする投稿閲覧装置。
【請求項４】
請求項３に記載の投稿閲覧装置において、
前記端末位置情報と前記位置情報との間の距離は、ビーコン端末からの電波強度により特定可能であること、
を特徴とする投稿閲覧装置。
【請求項５】
請求項１から請求項４までのいずれかに記載の投稿閲覧装置において、
前記コンテンツ登録手段は、前記投稿コンテンツに、投稿したユーザを識別するユーザ識別情報を対応付けて、前記コンテンツ記憶部に記憶させ、
前記許可判断手段は、前記要求情報に含まれる前記携帯端末のユーザを示すユーザ識別情報によって、前記要求情報に対応する閲覧を許可するか否かを判断し、
前記コンテンツ送信手段は、前記コンテンツ記憶部を参照して、前記ユーザ識別情報が対応付けられた前記投稿コンテンツから位置情報を取得し、取得した位置情報に一致する投稿コンテンツを前記コンテンツ記憶部から抽出して、前記携帯端末に送信すること、
を特徴とする投稿閲覧装置。
【請求項６】
請求項１から請求項５までのいずれかに記載の投稿閲覧装置において、
ユーザを識別するユーザ識別情報と、ユーザを共通の性質で分類したグループ情報とが対応付けられたユーザ記憶部を備え、
前記コンテンツ登録手段は、前記投稿コンテンツに、前記グループ情報を対応付けて、前記コンテンツ記憶部に記憶させ、
前記コンテンツ送信手段は、前記ユーザ記憶部を参照して、閲覧するユーザのユーザ識別情報に対応するグループ情報を取得し、取得したグループ情報が対応付けられた投稿コンテンツを前記コンテンツ記憶部から抽出して、前記携帯端末に送信すること、
を特徴とする投稿閲覧装置。
【請求項７】
請求項１から請求項６までのいずれかに記載の投稿閲覧装置において、
前記コンテンツ登録手段は、前記投稿コンテンツに、投稿したユーザにより設定された投稿コンテンツに対する閲覧に関する付加情報を対応付けて、前記コンテンツ記憶部に記憶させ、
前記コンテンツ送信手段は、前記付加情報に基づいて前記コンテンツ記憶部から投稿コンテンツを抽出して、前記携帯端末に送信すること、
を特徴とする投稿閲覧装置。
【請求項８】
請求項１から請求項７までのいずれかに記載の投稿閲覧装置と、
投稿コンテンツの投稿及び閲覧の少なくとも一方をするための携帯端末と、
を備える投稿閲覧システム。
【発明の詳細な説明】
【技術分野】
【０００１】
本発明は、投稿閲覧装置及び投稿閲覧システムに関する。
【背景技術】
【０００２】
従来、宿泊施設や、喫茶店、居酒屋等では、いわゆる「寄せ書きノート」を設置して、ユーザがそこを訪れたことを記念として残すために、ノートに自由に書き込むことが行われている。しかし、ノートでは、破損や紛失が起こり得る。そのため、ローカル端末によって「寄せ書きノート」と同様のサービスを行うものが開示されている（例えば、特許文献１）。
【先行技術文献】
【特許文献】
【０００３】
【特許文献１】特開２００２−９２２４３号公報
【発明の概要】
【発明が解決しようとする課題】
【０００４】
特許文献１に記載の方法では、ローカル端末を設置するため、ローカル端末の管理負担が生じる。また、ローカル端末の設置位置も、管理できる場所に制限されてしまう。
【０００５】
そこで、本発明は、管理負担を伴わずに場所に関連する時空間を横断したコミュニケーションが実現可能な投稿閲覧装置及び投稿閲覧システムを提供することを目的とする。
【課題を解決するための手段】
【０００６】
本発明は、以下のような解決手段により、前記課題を解決する。
第１の発明は、地理上の基準位置に関する位置情報を、投稿コンテンツに対応付けて記憶するコンテンツ記憶部と、投稿コンテンツに関する要求情報を携帯端末から受信したことに応じて、前記要求情報に含まれる前記携帯端末の現在位置を示す端末位置情報によって、前記要求情報に対応する投稿又は閲覧を許可するか否かを判断する許可判断手段と、前記許可判断手段により閲覧を許可すると判断された場合に、前記端末位置情報に基づいて前記コンテンツ記憶部から投稿コンテンツを抽出して、前記携帯端末に送信するコンテンツ送信手段と、前記許可判断手段により投稿を許可すると判断された場合に、前記要求情報に含まれる投稿コンテンツに、前記端末位置情報に基づく前記位置情報を対応付けて、前記コンテンツ記憶部に記憶させるコンテンツ登録手段と、を備える投稿閲覧装置である。
第２の発明は、第１の発明の投稿閲覧装置において、前記コンテンツ登録手段は、前記投稿コンテンツに、投稿日時情報を対応付けて、前記コンテンツ記憶部に記憶させ、前記コンテンツ送信手段は、前記コンテンツ記憶部から抽出した投稿コンテンツに対応する前記投稿日時情報に基づいて前記投稿コンテンツの表示態様を変化させて、その投稿コンテンツを前記携帯端末に送信すること、を特徴とする投稿閲覧装置である。
第３の発明は、第１の発明又は第２の発明の投稿閲覧装置において、前記コンテンツ登録手段は、前記投稿コンテンツに、前記位置情報からの距離に関する距離情報を対応付けて、前記コンテンツ記憶部に記憶させ、前記コンテンツ送信手段は、前記端末位置情報と前記位置情報との間の距離に基づいて前記コンテンツ記憶部から投稿コンテンツを抽出して、前記携帯端末に送信すること、を特徴とする投稿閲覧装置である。
第４の発明は、第３の発明の投稿閲覧装置において、前記端末位置情報と前記位置情報との間の距離は、ビーコン端末からの電波強度により特定可能であること、を特徴とする投稿閲覧装置である。
第５の発明は、第１の発明から第４の発明までのいずれかの投稿閲覧装置において、前記コンテンツ登録手段は、前記投稿コンテンツに、投稿したユーザを識別するユーザ識別情報を対応付けて、前記コンテンツ記憶部に記憶させ、前記許可判断手段は、前記要求情報に含まれる前記携帯端末のユーザを示すユーザ識別情報によって、前記要求情報に対応する閲覧を許可するか否かを判断し、前記コンテンツ送信手段は、前記コンテンツ記憶部を参照して、前記ユーザ識別情報が対応付けられた前記投稿コンテンツから位置情報を取得し、取得した位置情報に一致する投稿コンテンツを前記コンテンツ記憶部から抽出して、前記携帯端末に送信すること、を特徴とする投稿閲覧装置である。
第６の発明は、第１の発明から第５の発明までのいずれかの投稿閲覧装置において、ユーザを識別するユーザ識別情報と、ユーザを共通の性質で分類したグループ情報とが対応付けられたユーザ記憶部を備え、前記コンテンツ登録手段は、前記投稿コンテンツに、前記グループ情報を対応付けて、前記コンテンツ記憶部に記憶させ、前記コンテンツ送信手段は、前記ユーザ記憶部を参照して、閲覧するユーザのユーザ識別情報に対応するグループ情報を取得し、取得したグループ情報が対応付けられた投稿コンテンツを前記コンテンツ記憶部から抽出して、前記携帯端末に送信すること、を特徴とする投稿閲覧装置である。
第７の発明は、第１の発明から第６の発明までのいずれかの投稿閲覧装置において、前記コンテンツ登録手段は、前記投稿コンテンツに、投稿したユーザにより設定された投稿コンテンツに対する閲覧に関する付加情報を対応付けて、前記コンテンツ記憶部に記憶させ、前記コンテンツ送信手段は、前記付加情報に基づいて前記コンテンツ記憶部から投稿コンテンツを抽出して、前記携帯端末に送信すること、を特徴とする投稿閲覧装置である。
第８の発明は、第１の発明から第７の発明までのいずれかの投稿閲覧装置と、投稿コンテンツの投稿及び閲覧の少なくとも一方をするための携帯端末と、を備える投稿閲覧システムである。
【発明の効果】
【０００７】
本発明によれば、管理負担を伴わずに場所に関連する時空間を横断したコミュニケーションが実現可能な投稿閲覧装置及び投稿閲覧システムを提供することができる。
【図面の簡単な説明】
【０００８】
【図１】第１実施形態に係る投稿閲覧システムの概要を示す図である。
【図２】第１実施形態に係る投稿閲覧システムの機能ブロックを示す図である。
【図３】第１実施形態に係る掲示板サーバの記憶部にある各ＤＢの例を示す図である。
【図４】第１実施形態に係る掲示板サーバの記憶部にある各ＤＢの例を示す図である。
【図５】第１実施形態に係る携帯端末でのメイン処理を示すフローチャートである。
【図６】第１実施形態に係る投稿閲覧システムでの掲示板閲覧処理を示すフローチャートである。
【図７】第１実施形態に係る携帯端末での表示例を示す図である。
【図８】第１実施形態に係る投稿閲覧システムでの掲示板投稿処理を示すフローチャートである。
【図９】第１実施形態に係る携帯端末での表示例を示す図である。
【図１０】第１実施形態に係る掲示板サーバのコンテンツＤＢの更新例を示す図である。
【図１１】第１実施形態に係る投稿閲覧システムでの検索閲覧処理を示すフローチャートである。
【図１２】第１実施形態に係る携帯端末での表示例を示す図である。
【図１３】第２本実施形態に係る投稿閲覧システムの掲示板サーバの機能ブロックを示す図である。
【図１４】第２実施形態に係る掲示板サーバの記憶部に記憶されたコンテンツＤＢの例を示す図である。
【図１５】第２実施形態に係る投稿閲覧システムでの掲示板閲覧処理を説明するための図である。
【図１６】第２実施形態に係る携帯端末での表示例を示す図である。
【発明を実施するための形態】
【０００９】
以下、本発明を実施するための形態について、図を参照しながら説明する。なお、これは、あくまでも一例であって、本発明の技術的範囲は、これに限られるものではない。
（第１実施形態）
＜投稿閲覧システム１００の全体構成＞
図１は、第１実施形態に係る投稿閲覧システム１００の概要を示す図である。
投稿閲覧システム１００は、ビーコン端末７（７Ａ，７Ｂ）が発信する電波（以下、ビーコン端末７（７Ａ，７Ｂ）が発信する電波を、ビーコン電波ともいう。）の受信範囲にある携帯端末４（４Ａ，４Ｂ）において、ビーコン端末７（７Ａ，７Ｂ）の位置に関する電子掲示板（以下、単に掲示板という。）の閲覧及び投稿を、掲示板サーバ１（投稿閲覧装置）によって可能とするシステムである。各ビーコン端末７（７Ａ，７Ｂ）は、例えば、観光地の観光名所等、各場所の中心位置（基準位置）に設けられている。
【００１０】
携帯端末４（４Ａ〜４Ｃ）は、各ユーザ（投稿者及び閲覧者）が所持する端末である。図１の例によれば、携帯端末４Ａは、ビーコン端末７Ａが発信するビーコン電波の受信範囲にあるため、携帯端末４Ａのユーザは、場所Ａに関する掲示板の閲覧及び投稿ができる。また、携帯端末４Ｂは、ビーコン端末７Ｂが発信するビーコン電波の受信範囲にあるため、携帯端末４Ｂのユーザは、場所Ｂに関する掲示板の閲覧及び投稿ができる。一方、携帯端末４Ｃは、ビーコン端末７（７Ａ，７Ｂ）のビーコン電波が受信できない場所にあるため、携帯端末４Ｃのユーザは、いずれの掲示板に対しても投稿ができない。しかし、携帯端末４Ｃのユーザが以前に、例えば、場所Ａに関する掲示板に投稿している場合には、携帯端末４Ｃのユーザは、場所Ａに関する掲示板の閲覧ができる。
【００１１】
図１に示すように、投稿閲覧システム１００は、掲示板サーバ１と、携帯端末４（４Ａ〜４Ｃ）と、ビーコン端末７（７Ａ，７Ｂ）とを備える。以降の説明において、携帯端末４Ａ〜４Ｃを区別しない場合には、単に、携帯端末４として説明する。同様に、ビーコン端末７Ａ，７Ｂを区別しない場合には、単に、ビーコン端末７として説明する。
掲示板サーバ１と、携帯端末４とは、通信ネットワークＮ及び基地局Ｂｓを介して接続可能になっている。
通信ネットワークＮは、掲示板サーバ１と基地局Ｂｓとの間のネットワークであり、インターネット回線や携帯端末通信網等である。
基地局Ｂｓは、携帯端末４と掲示板サーバ１との間の通信をするための中継を行う。基地局Ｂｓは、例えば、無線ＬＡＮ（Ｌｏｃａｌ  Ａｒｅａ  Ｎｅｔｗｏｒｋ）の基地局や、通信事業者の携帯端末通信網用の基地局等である。
【００１２】
なお、図１は例示であって、ビーコン端末７は、地理上の位置であれば、どこにでも設置可能である。また、携帯端末４は、後述するが、ビーコン電波を受信するためのＢｌｕｅｔｏｏｔｈ（登録商標）アンテナ５８を備え、掲示板アプリ５１がインストールされていれば、どのようなものであっても使用できる。
【００１３】
次に、投稿閲覧システム１００の各装置について説明する。
図２は、本実施形態に係る投稿閲覧システム１００の機能ブロックを示す図である。
図３及び図４は、第１実施形態に係る掲示板サーバ１の記憶部２０にある各ＤＢの例を示す図である。
＜掲示板サーバ１＞
掲示板サーバ１は、各場所に関連付けられた投稿コンテンツを記憶する。投稿コンテンツは、テキストデータ及び画像データの少なくとも一方を含む。そして、掲示板サーバ１は、携帯端末４の位置によって投稿を許可する場合には、携帯端末４から受信した投稿コンテンツを記憶させる。また、掲示板サーバ１は、閲覧を許可する場合には、携帯端末４からの閲覧要求に対応する投稿コンテンツを、携帯端末４に送信する。
以下、実施形態では、掲示板サーバ１は、投稿閲覧のためのＷｅｂサイト（以下、掲示板サイトという。）を実現するサーバとして説明する。
【００１４】
図２に示すように、掲示板サーバ１は、制御部１０と、記憶部２０と、通信インタフェース部２９とを備える。
制御部１０は、掲示板サーバ１の全体を制御するＣＰＵ（中央処理装置）である。制御部１０は、記憶部２０に記憶されているＯＳ（オペレーティングシステム）や、各種のアプリケーションプログラムを適宜読み出して実行することにより、上述したハードウェアと協働し、各種機能を実行する。
制御部１０は、要求受信部１１と、許可判断部１２（許可判断手段）と、コンテンツ抽出部１３（コンテンツ送信手段）と、コンテンツ送信部１４（コンテンツ送信手段）と、コンテンツ登録部１５（コンテンツ登録手段）とを備える。
【００１５】
要求受信部１１は、投稿コンテンツに関する要求データ（要求情報）を、携帯端末４から受信する。
許可判断部１２は、要求受信部１１が受信した要求データに対応する投稿又は閲覧を許可するか否かを判断する。
コンテンツ抽出部１３は、許可判断部１２により閲覧が許可された場合に、コンテンツＤＢ（データベース）２２（コンテンツ記憶部）から所定の投稿コンテンツを抽出する。
コンテンツ送信部１４は、コンテンツ抽出部１３が抽出した投稿コンテンツを、携帯端末４に対して送信する。
コンテンツ登録部１５は、許可判断部１２により投稿が許可された場合に、要求データに含まれる投稿コンテンツを、コンテンツＤＢ２２に記憶させる。
なお、これらの各機能の詳細については、後述する。
【００１６】
記憶部２０は、掲示板サーバ１の動作に必要なプログラム、データ等を記憶するためのハードディスク、半導体メモリ素子等の記憶装置である。
なお、本発明でいうコンピュータとは、制御装置、記憶装置等を備えた情報処理装置をいい、掲示板サーバ１は、制御部１０、記憶部２０等を備えた情報処理装置であり、本発明のコンピュータの概念に含まれる。
記憶部２０は、ユーザＤＢ２１と、コンテンツＤＢ２２と、ビーコンＤＢ２３とを備える。
ユーザＤＢ２１は、投稿閲覧システム１００を利用する全てのユーザの情報を記憶する。図３（Ａ）に示すように、ユーザＤＢ２１は、ユーザＩＤ（ＩＤｅｎｔｉｆｉｅｒ）（ユーザ識別情報）と、そのユーザと友達関係にある友達のユーザＩＤと、その他情報とを対応付けて記憶する。ユーザＩＤは、ユーザを特定するための識別情報である。友達のユーザＩＤは、後述する「友達」として公開を許可する範囲を決定する際に用いられる。その他情報は、例えば、この投稿閲覧システム１００を利用するためのログインパスワード等である。
【００１７】
コンテンツＤＢ２２は、投稿コンテンツを記憶する。図４に示すように、コンテンツＤＢ２２は、コンテンツＩＤ（位置情報）に対応付けて、ビーコンＩＤ、親コンテンツＩＤ、投稿したユーザのユーザＩＤ、投稿日（投稿日時情報）、公開権限、公開時期、テキスト及び画像を記憶する。
コンテンツＩＤは、投稿コンテンツが投稿される都度に一意に付与され、投稿コンテンツを特定するための識別情報である。
ビーコンＩＤは、ビーコン端末７を特定する識別情報である。
親コンテンツＩＤには、上位の投稿コンテンツの下位である場合に、上位の投稿コンテンツのコンテンツＩＤを記憶させる。
投稿日は、投稿した日時である。図４では、日付の例で示しているが、日時であってよい。
公開権限及び公開時期（付加情報）は、投稿コンテンツの閲覧対象となるユーザや閲覧対象となる時期を限定するためのものである。公開権限には、例えば、友達のみ、全体、非公開（自分のみ）がある。また、公開時期には、例えば、制限無し、（投稿日より）３日、半年、１年、３年、５年がある。以下の説明において、公開権限及び公開時期は、複数の候補を出力し、その中から選択するものとしているため、上述のようにいくつかの候補を用意してあるが、例えば、公開時期は、ユーザによる手入力を許容してもよい。なお、掲示板サーバ１の制御部１０は、公開時期を過ぎた投稿コンテンツを、定期的に削除してもよい。
テキスト及び画像は、ユーザが入力した投稿内容のテキストデータ及び画像データである。
【００１８】
ビーコンＤＢ２３は、ビーコン端末７に関する情報を記憶する。図３（Ｂ）に示すように、ビーコンＤＢ２３は、ビーコンＩＤと、掲示板サイトのＵＲＩ（Ｕｎｉｆｏｒｍ  Ｒｅｓｏｕｒｃｅ  Ｉｄｅｎｔｉｆｉｅｒ）とを対応付けて記憶する。掲示板サイトのＵＲＩは、ビーコンＩＤごとに異なる。よって、投稿閲覧システム１００では、ビーコン端末７ごとに掲示板サイトが関連付けられている。
図２に戻り、通信インタフェース部２９は、通信ネットワークＮを介して携帯端末４との通信を行うためのインタフェース部である。
【００１９】
なお、掲示板サーバ１を構成するハードウェアの数に制限はない。必要に応じて、１又は複数で構成してもよい。また、掲示板サーバ１のハードウェアは、必要に応じてＷｅｂサーバ、ＤＢ（データベース）サーバ、アプリケーションサーバ等の各種サーバを含んで構成してもよく、１台のサーバで構成しても、それぞれ別のサーバで構成してもよい。
また、掲示板サーバ１の記憶部２０に記憶しているユーザＤＢ２１、コンテンツＤＢ２２、ビーコンＤＢ２３は、別サーバに有してもよい。その場合には、掲示板サーバ１の制御部１０が、別サーバに記憶された各種データを、別サーバとの間で通信することで取得すればよい。
【００２０】
＜携帯端末４＞
携帯端末４は、ユーザが所持する端末であり、例えば、スマートフォンに代表されるコンピュータの機能を併せ持った携帯電話機である。携帯端末４は、その他、タブレット端末等の携帯型の端末であってもよい。
携帯端末４は、制御部４０と、記憶部５０と、タッチパネルディスプレイ５６と、Ｂｌｕｅｔｏｏｔｈアンテナ５８と、通信インタフェース部５９とを備える。
制御部４０は、携帯端末４の全体を制御するＣＰＵである。制御部４０は、記憶部５０に記憶されているＯＳやアプリケーションプログラムを適宜読み出して実行することにより、上述したハードウェアと協働し、各種機能を実行する。
【００２１】
制御部４０は、電波受信部４１と、要求送信部４２と、投稿部４３と、ページ受信部４４とを備える。
電波受信部４１は、ビーコン電波を、Ｂｌｕｅｔｏｏｔｈアンテナ５８を介して受信する。
要求送信部４２は、ページデータを受信するための要求データを、掲示板サーバ１に対して送信する。
投稿部４３は、投稿コンテンツを含む要求データを、掲示板サーバ１に対して送信する。
ページ受信部４４は、各種のページデータを受信して、タッチパネルディスプレイ５６に表示させる。
【００２２】
記憶部５０は、制御部４０が各種の処理を実行するために必要なプログラム、データ等を記憶するための半導体メモリ素子等の記憶領域である。
記憶部５０は、掲示板アプリ５１を記憶している。掲示板アプリ５１は、携帯端末４の制御部４０の各種機能を実行するためのアプリケーションプログラムである。掲示板アプリ５１は、その内部に、投稿閲覧システム１００の処理対象になるビーコンＩＤや、携帯端末４のユーザを識別するユーザＩＤを記憶している。また、記憶部５０は、図示していないが、掲示板サイトのＷｅｂページを表示するためのブラウザを記憶している。掲示板アプリ５１や、ブラウザは、例えば、通信ネットワークＮを介してアプリ配信サーバ（図示せず）に接続してダウンロードし、予め携帯端末４にインストールされているものとする。
【００２３】
タッチパネルディスプレイ５６は、液晶パネル等で構成される表示部としての機能と、ユーザの指等によるタッチ入力を検出する入力部としての機能とを有する。
Ｂｌｕｅｔｏｏｔｈアンテナ５８は、ビーコン端末７との間でＢｌｕｅｔｏｏｔｈ規格に基づいて短距離無線通信が可能である。Ｂｌｕｅｔｏｏｔｈアンテナ５８は、受信したビーコン電波を、電波受信部４１に送る。
通信インタフェース部５９は、基地局Ｂｓ及び通信ネットワークＮを介して、掲示板サーバ１との通信を行うためのインタフェース部である。
【００２４】
＜ビーコン端末７＞
ビーコン端末７は、例えば、直径が２０ｍｍ程度の大きさであり、電波を発信する小型の端末である。
ビーコン端末７は、制御部７０と、記憶部７５と、電波送出部７７とを備える。
制御部７０は、ビーコン端末７の全体を制御するＣＰＵである。制御部７０は、記憶部７５に記憶されているＯＳやアプリケーションプログラムを適宜読み出して実行することにより、上述したハードウェアと協働し、各種機能を実行する。
記憶部７５は、制御部７０が各種の処理を実行するために必要なプログラム、データ等を記憶するための半導体メモリ素子等の記憶領域である。記憶部７５は、ビーコンＩＤを記憶している。
電波送出部７７は、制御部７０の制御によって、ビーコンＩＤを含む電波を送出する。電波送出部７７が送出する電波は、例えば、ＢｌｕｅｔｏｏｔｈのＣｌａｓｓ２に対応するものである。これは、例えば、ビーコン端末７を中心とした半径十数ｍ以内に携帯端末４が存在していれば、携帯端末４で受信可能である。
【００２５】
次に、投稿閲覧システム１００で行う処理について説明する。
＜事前処理＞
まず、投稿閲覧システム１００を利用する際に行う事前処理について説明する。
掲示板サイトの運営者は、観光地の観光名所等、各場所の中心位置付近に、ビーコン端末７を設置する。また、掲示板サイトの運営者は、ビーコンＤＢ２３に、設置したビーコン端末７のビーコンＩＤと、掲示板サイトのＵＲＩとを対応付けて記憶しておく。そして、携帯端末４等のコンピュータが掲示板サイトのＵＲＩを指定すると、コンピュータがビーコン端末７を設置した位置に対応する観光名所に関するページが表示されるように、予めページを設定しておく。
【００２６】
また、ユーザは、投稿閲覧システム１００を利用するにあたって、掲示板サーバ１に対して会員登録をする。ユーザは、携帯端末４において、インストールした掲示板アプリ５１を初めて起動することで、携帯端末４は、掲示板サイトにアクセスし、ユーザ情報登録ページ（図示せず）を出力する。そこで、ユーザは、ユーザ情報登録ページの内容にしたがってユーザ情報を入力する。ユーザ情報は、例えば、ユーザＩＤと、友達のユーザＩＤと、ログインパスワード等である。そうすることで、掲示板サーバ１の制御部１０は、入力されたユーザ情報を携帯端末４から受信して、ユーザＤＢ２１に記憶させる。
【００２７】
＜メイン処理＞
次に、会員登録をしたユーザが、掲示板アプリ５１を起動することで行う処理について説明する。
図５は、第１実施形態に係る携帯端末４でのメイン処理を示すフローチャートである。
ステップＳ（以下、単に「Ｓ」という。）１０において、ユーザが、例えば、携帯端末４のタッチパネルディスプレイ５６に表示された掲示板アプリ５１のアイコン（図示せず）を選択することで、携帯端末４の制御部４０は、掲示板アプリ５１を起動させる。
Ｓ１１において、制御部４０（電波受信部４１）は、ビーコン端末７のビーコン電波を受信したか否かを判断する。制御部４０は、ビーコン端末７のビーコン電波を受信したか否かを、掲示板アプリ５１に記憶されたビーコンＩＤを有するビーコン電波を受信したか否かにより判断できる。ビーコン端末７のビーコン電波を受信した場合（Ｓ１１：ＹＥＳ）には、制御部４０は、処理をＳ１２に移す。他方、ビーコン端末７のビーコン電波を受信していない場合（Ｓ１１：ＮＯ）には、制御部４０は、処理をＳ１６に移す。
Ｓ１２において、制御部４０は、後述する掲示板閲覧処理を行う。
【００２８】
Ｓ１３において、制御部４０は、ユーザによる投稿のための操作（後述する）を受け付けることで、掲示板に投稿する投稿処理を行うか否かを判断する。投稿処理を行う場合（Ｓ１３：ＹＥＳ）には、制御部４０は、処理をＳ１４に移す。他方、投稿処理を行わない場合（Ｓ１３：ＮＯ）には、制御部４０は、処理をＳ１５に移す。
Ｓ１４において、制御部４０は、後述する掲示板投稿処理を行う。
Ｓ１５において、制御部４０は、ユーザによる過去に投稿した掲示板の閲覧のための操作（後述する）を受け付けることで、検索処理を行うか否かを判断する。検索処理を行う場合（Ｓ１５：ＹＥＳ）には、制御部４０は、処理をＳ１６に移す。他方、検索処理を行わない場合（Ｓ１５：ＮＯ）には、制御部４０は、処理をＳ１７に移す。
Ｓ１６において、制御部４０は、後述する検索閲覧処理を行う。
Ｓ１７において、制御部４０は、ユーザによる掲示板アプリ５１の実行を終了する操作を受け付けたことで、掲示板アプリ５１の実行を終了するか否かを判断する。掲示板アプリ５１の実行を終了する場合（Ｓ１７：ＹＥＳ）には、制御部４０は、掲示板アプリ５１の実行を終了させて本処理を終了する。他方、掲示板アプリ５１の実行を終了しない場合（Ｓ１７：ＮＯ）には、制御部４０は、処理をＳ１１に移す。
【００２９】
＜掲示板閲覧処理＞
次に、掲示板閲覧処理について説明する。
図６は、第１実施形態に係る投稿閲覧システム１００での掲示板閲覧処理を示すフローチャートである。
図７は、第１実施形態に係る携帯端末４での表示例を示す図である。
図６のＳ２０において、制御部４０は、受信したビーコン端末７のビーコン電波に含まれるビーコンＩＤを抽出する。そして、制御部４０（要求送信部４２）は、抽出したビーコンＩＤを、掲示板サーバ１に対して送信する。
Ｓ２１において、掲示板サーバ１の制御部１０は、ビーコンＩＤを受信する。
Ｓ２２において、制御部１０は、受信したビーコンＩＤに基づいて初期ページを生成し、携帯端末４に送信する。
Ｓ２３において、携帯端末４の制御部４０（ページ受信部４４）は、初期ページを受信して、タッチパネルディスプレイ５６に表示させる。
【００３０】
図７（Ａ）は、ユーザの携帯端末４に表示される初期ページ６０の例である。この初期ページ６０は、場所Ａの案内と、３つのボタン６０ａ〜６０ｃを有する。場所Ａは、受信したビーコン電波のビーコンＩＤにより特定された場所である。ここで、ユーザが「掲示板をみる」のボタン６０ａを選択することで、制御部４０は、掲示板の閲覧要求を受け付けたと判断する。なお、ボタン６０ｂを選択することで表示される検索ページについては、後述する。
【００３１】
図６に戻り、Ｓ２４において、制御部４０は、掲示板の閲覧要求を受け付けたか否かを判断する。掲示板の閲覧要求を受け付けた場合（Ｓ２４：ＹＥＳ）には、制御部４０は、処理をＳ２５に移す。他方、掲示板の閲覧要求を受け付けていない場合（Ｓ２４：ＮＯ）には、制御部４０は、本処理を終了し、処理を図５に移す。なお、掲示板の閲覧要求を受け付けていない場合とは、図７（Ａ）において、ボタン６０ｂやボタン６０ｃが選択された場合をいう。
Ｓ２５において、制御部４０（要求送信部４２）は、掲示板の閲覧要求データ（要求情報）を、掲示板サーバ１に対して送信する。掲示板の閲覧要求データには、ビーコンＩＤと、ユーザＩＤとを含む。
Ｓ２６において、掲示板サーバ１の制御部１０（要求受信部１１）は、掲示板の閲覧要求データを受信する。
【００３２】
Ｓ２７において、制御部１０（許可判断部１２）は、受信した閲覧要求データに含むビーコンＩＤ（端末位置情報）によって、そのビーコンＩＤに対応する掲示板の閲覧を許可する判断をする。そして、制御部１０（コンテンツ抽出部１３）は、所定の投稿コンテンツを抽出する。まず、コンテンツ抽出部１３は、コンテンツＤＢ２２から、受信したビーコンＩＤに対応する投稿コンテンツを抽出する。次に、コンテンツ抽出部１３は、抽出した投稿コンテンツから、公開権限に受信したユーザＩＤが含まれるものであって、かつ、公開時期が範囲内のものをさらに抽出する。
【００３３】
図４に示すコンテンツＤＢ２２に基づき、具体例を説明する。
ここでは、現在日付を、「２０１５／７／２２」とし、ユーザＩＤが「ｄ００００００」であるユーザの携帯端末４が送信した閲覧要求データに、ビーコンＩＤ「Ａ」を含む場合について説明する。コンテンツ抽出部１３は、まず、ビーコンＩＤが「Ａ」であるものを抽出する。抽出したものは、コンテンツＩＤが「ＣＩＤ００１」と、「ＣＩＤ００２」と、「ＣＩＤ００５」から「ＣＩＤ００７」までとの５つになる。次に、コンテンツ抽出部１３は、公開権限及び公開時期が範囲内であるものをさらに抽出する。抽出したものは、「ＣＩＤ００１」と、「ＣＩＤ００２」と、「ＣＩＤ００５」との３つになる。なお、「ＣＩＤ００６」は、公開時期が投稿日より半年以上経過しているため範囲外であり、「ＣＩＤ００７」は、公開権限である「ｄ８８８８８８」の友達ではないため範囲外である。
【００３４】
図６に戻り、Ｓ２８において、制御部１０（コンテンツ送信部１４）は、抽出した投稿コンテンツを、閲覧ページに編集する。制御部１０は、投稿コンテンツを日付順に並べる。また、制御部１０は、親コンテンツに対応付けられた投稿コンテンツがある場合には、その投稿コンテンツを、親コンテンツの次に並べる。そして、制御部１０は、現在日付に近いものを、見やすい位置に表示されるように配置する。
Ｓ２９において、制御部１０（コンテンツ送信部１４）は、編集した閲覧ページを、携帯端末４に送信する。その後、制御部１０は、本処理を終了する。
Ｓ３０において、携帯端末４の制御部４０（ページ受信部４４）は、掲示板サーバ１から閲覧ページを受信して、タッチパネルディスプレイ５６に表示させる。その後、制御部４０は、本処理を終了し、処理を図５に移す。
【００３５】
図７（Ｂ）は、閲覧ページ６１の例である。閲覧ページ６１は、投稿コンテンツ表示部６１ａと、ボタン６１ｂ及びボタン６１ｃとを備える。投稿コンテンツ表示部６１ａには、掲示板サーバ１により編集された投稿コンテンツが表示されている。投稿コンテンツは、時系列に、かつ、親コンテンツに対応付けがされている場合には、それが分かるように表示されているので、ユーザに分かりやすい態様で示すことができる。そして、ユーザが投稿したい場合には、「コメント入力」のボタン６１ｂを選択することで（図５のＳ１３：ＹＥＳ）、制御部４０は、次に説明する掲示板投稿処理（図５のＳ１４）を開始する。
なお、投稿コンテンツの閲覧後に投稿せずに終了する場合には、ユーザは、「戻る」のボタン６１ｃを選択すればよい。
【００３６】
＜掲示板投稿処理＞
次に、掲示板投稿処理について説明する。
図８は、第１実施形態に係る投稿閲覧システム１００での掲示板投稿処理を示すフローチャートである。
図９は、第１実施形態に係る携帯端末４での表示例を示す図である。
図１０は、第１実施形態に係る掲示板サーバ１のコンテンツＤＢ２２の更新例を示す図である。
【００３７】
図８のＳ４０において、携帯端末４の制御部４０は、投稿コンテンツの入力を受け付ける。具体的には、ユーザが、上述した図７（Ｂ）の閲覧ページ６１のボタン６１ｂを選択することで、携帯端末４の制御部４０は、図９（Ａ）に示すように、閲覧ページ６１のボタン６１ｂを含むボタン表示部分を、投稿コンテンツ入力部６１ｄに変更する。そこで、ユーザは、コメントをテキスト入力し、必要に応じて画像データを選択して、公開権限、公開時期及び投稿コンテンツの位置を設定することで、制御部４０は、投稿コンテンツの入力を受け付ける。
【００３８】
ここで、図８（Ａ）の投稿コンテンツ入力部６１ｄについて説明する。投稿コンテンツ入力部６１ｄは、投稿内容をテキストで入力するテキスト入力部、画像を投稿したい場合に画像を選択する画像選択部、公開権限、公開時期及び投稿コンテンツの位置を指定する各プルダウンリスト、並びに送信ボタンから構成される。
そして、ユーザにより「送信」ボタンが選択されることで、図８のＳ４１において、制御部４０（投稿部４３）は、投稿コンテンツの登録要求データ（要求情報）を、掲示板サーバ１に対して送信する。投稿コンテンツの登録要求データには、投稿コンテンツ入力部６１ｄに入力した各種データの他、ビーコンＩＤと、ユーザＩＤとを含む。
【００３９】
なお、制御部４０は、ユーザにより「送信」ボタンが選択されることで、再度ビーコン電波を受信したか否かを判断し、ビーコン電波を受信した場合には、そのビーコン電波に含むビーコンＩＤが以前に受信したビーコンＩＤと一致する場合に、投稿コンテンツの登録要求データを送信してもよい。また、このタイミングで再度ビーコン電波を受信したか否かを判断せずに、以前に受信したビーコンＩＤを送信してもよい。しかし、その場合には、以前に受信してビーコンＩＤを取得してから所定期間内である場合に限定してもよい。
【００４０】
Ｓ４２において、掲示板サーバ１の制御部１０（要求受信部１１）は、投稿コンテンツの登録要求データを受信する。
Ｓ４３において、制御部１０（許可判断部１２）は、受信した登録要求データに含むビーコンＩＤによって、そのビーコンＩＤに対応する掲示板の投稿を許可する判断をする。そして、制御部１０（コンテンツ登録部１５）は、受信した投稿コンテンツをコンテンツＤＢ２２に登録する。
図１０に示すように、コンテンツＤＢ２２には、「ＣＩＤ００９」が追加される。なお、図９（Ａ）の例では、投稿コンテンツの位置を「ＴＯＰ」に指定したので、親コンテンツＩＤの欄には、何も入力されないが、例えば、「ＣＩＤ００１」が指定された場合には、親コンテンツＩＤの欄には、「ＣＩＤ００１」が入力されることになる。この場合には、投稿コンテンツは、「ＣＩＤ００１」の投稿コンテンツに対する返信という形で表示される。
図８に戻り、Ｓ４４からＳ４７までは、掲示板閲覧処理（図６）のＳ２７からＳ３０までと同様である。
【００４１】
このようにすることで、図９（Ｂ）に示す閲覧ページ６１が、携帯端末４のタッチパネルディスプレイ５６に表示される。閲覧ページ６１には、図９（Ａ）で入力した投稿コンテンツの内容が示された吹き出し６１ｅが追加して表示される。吹き出し６１ｅは、親コンテンツであるので、投稿コンテンツ表示部６１ａには、親コンテンツであることが分かる表示態様で表示される。
【００４２】
＜検索閲覧処理＞
次に、検索閲覧処理について説明する。
図１１は、第１実施形態に係る投稿閲覧システム１００での検索閲覧処理を示すフローチャートである。
図１２は、第１実施形態に係る携帯端末４での表示例を示す図である。
この処理は、上述した図７（Ａ）に示す初期ページ６０において、ユーザによってボタン６０ｂが選択された場合（図５のＳ１５：ＹＥＳ）に行われる。また、掲示板アプリ５１を起動後にビーコン電波を受信しなかった場合（図５のＳ１１：ＮＯ）も、本処理が行われる。
【００４３】
図１１のＳ６０において、携帯端末４の制御部４０（要求送信部４２）は、ユーザＩＤを掲示板サーバ１に対して送信する。
Ｓ６１において、掲示板サーバ１の制御部１０は、ユーザＩＤを受信する。
Ｓ６２において、制御部１０は、コンテンツＤＢ２２を参照し、受信したユーザＩＤを含む投稿コンテンツに対応付けられたビーコンＩＤを抽出する。
Ｓ６３において、制御部１０は、抽出したビーコンＩＤが示す場所を、ユーザが選択可能な検索ページを生成して、携帯端末４に送信する。
Ｓ６４において、携帯端末４の制御部４０（ページ受信部４４）は、検索ページを受信してタッチパネルディスプレイ５６に表示させる。
【００４４】
図１２は、携帯端末４に表示された検索ページ６５の例である。検索ページ６５は、そのユーザが過去に投稿した掲示板の場所が、プルダウンリスト６５ａに示される。そこで、ユーザは、プルダウンリスト６５ａから１つの場所を選択した上で、「みる」のボタン６５ｂを選択することで、次に説明するように、ユーザ自身が投稿した掲示板を見ることができる。
なお、過去にユーザが投稿した掲示板がなければ、掲示板サーバ１は、例えば、「過去に投稿した掲示板はありません」の文言を、ボタン６５ｃと共に表示し、プルダウンリスト６５ａ及びボタン６５ｂは表示しない検索ページ６５を生成する。
【００４５】
図１１に戻り、Ｓ７０において、携帯端末４の制御部４０は、場所の指定を受け付けたか否かを判断する。上述したように、図１２の検索ページ６５から１つの場所を特定した上で「みる」のボタン６５ｂをユーザが選択したことで、制御部４０は、場所の指定を受け付けたと判断する。場所の指定を受け付けた場合（Ｓ７０：ＹＥＳ）には、制御部４０は、処理をＳ７１に移す。他方、場所の指定を受け付けていない場合（Ｓ７０：ＮＯ）には、制御部４０は、本処理を終了し、処理を図５に移す。
Ｓ７１において、制御部４０（要求送信部４２）は、場所データ（要求情報）を掲示板サーバ１に対して送信する。場所データは、場所を示す名称（例えば、「場所Ａ」）であってもよいし、場所に対応付けられたビーコンＩＤであってもよい。
Ｓ７２において、掲示板サーバ１の制御部１０（要求受信部１１）は、場所データを受信する。
Ｓ７３において、制御部１０（許可判断部１２、コンテンツ抽出部１３）は、コンテンツＤＢ２２を参照し、場所データに対応するビーコンＩＤを含む投稿コンテンツを抽出する。
【００４６】
Ｓ７４からＳ７６までの処理は、掲示板閲覧処理（図６）のＳ２８からＳ３０までと同様である。
なお、本処理によって表示される閲覧ページは、投稿コンテンツ表示部６１ａが図７（Ｂ）や図９（Ｂ）に示すものと同様であるが、「コメント入力」のボタン６１ｂが表示されない。また、本処理によって表示される閲覧ページは、受信したユーザＩＤに一致する投稿コンテンツを、タッチパネルディスプレイ５６で見える範囲に表示をすることが望ましい。
このようにすることで、ユーザは、過去に自身が投稿した掲示板を見ることができるので、その後の自身の投稿に対するコメント等の投稿コンテンツを、後から見ることができる。
【００４７】
このように、第１実施形態によれば、投稿閲覧システム１００は、以下のような効果がある。
（１）掲示板が設けている指定の場所の携帯端末４から、テキスト等の投稿コンテンツを投稿できる。そして、投稿した投稿コンテンツは、指定の場所に関連付けてコンテンツＤＢ２２に記憶される。よって、投稿コンテンツは、場所に関連付けられたものにできる。
また、掲示板が設けている指定の場所の携帯端末４から投稿コンテンツを閲覧できる。閲覧可能な投稿コンテンツは、携帯端末４の場所に関連付けられたものであるので、携帯端末４では、場所に関連付けられた過去の投稿コンテンツを閲覧できる。
そして、投稿コンテンツの投稿及び閲覧を、指定の場所に限定することで、「寄せ書きノート」の電子版を実現でき、場所に関連する時空間を横断したコミュニケーションが実現可能な環境を提供できる。
【００４８】
（２）携帯端末４がビーコン端末７のビーコン電波を受信し、ビーコン電波に含まれるビーコンＩＤを送信することで、掲示板サーバ１では、携帯端末４の位置を特定できる。そして、掲示板サーバ１では、ビーコンＩＤを用いた処理を行うことができ、例えば、緯度経度データを用いて、携帯端末４の位置が掲示板の設置位置にあるか否かを判断するよりも、処理を簡易なものにできる。
また、ビーコン端末７は、小型の装置であるため、設置等を簡単に行うことができる。
【００４９】
（３）また、投稿コンテンツの閲覧を、携帯端末４の位置が掲示板を設けた指定の場所のみでなく、過去にその場所で投稿した場合にも、その投稿した場所の投稿コンテンツを可能にする。そのようにすることで、ユーザが投稿した投稿コンテンツに対して、後から投稿した他のユーザの投稿コンテンツを見ることができる。
（４）投稿コンテンツには、公開権限や公開時期を有するので、公開権限及び公開時期の条件を満たす場合に、閲覧をさせることができる。そして、公開権限や公開時期の設定は、ユーザ自身が行うことができる。よって、ユーザ（投稿者）の意向に沿った形で投稿ができる。
【００５０】
（第２実施形態）
第２実施形態では、ビーコン端末と、携帯端末との距離に応じて、閲覧可能な投稿コンテンツが変わるものを説明する。なお、以降の説明において、上述した第１実施形態と同様の機能を果たす部分には、同一の符号又は末尾に同一の符号を付して、重複する説明を適宜省略する。
【００５１】
＜投稿閲覧システム２００の全体構成＞
図１３は、第２実施形態に係る投稿閲覧システム２００の掲示板サーバ２０１の機能ブロックを示す図である。
図１４は、第２実施形態に係る掲示板サーバ２０１の記憶部２２０に記憶されたコンテンツＤＢ２２２の例を示す図である。
図１３に示すように、投稿閲覧システム２００は、掲示板サーバ２０１と、携帯端末４と、ビーコン端末７とを備える。
【００５２】
＜掲示板サーバ２０１＞
掲示板サーバ２０１は、制御部２１０と、記憶部２２０と、通信インタフェース部２９とを備える。
制御部２１０は、要求受信部１１と、許可判断部１２と、コンテンツ抽出部２１３と、コンテンツ送信部１４と、コンテンツ登録部２１５とを備える。
コンテンツ抽出部２１３は、許可判断部１２により閲覧が許可された場合に、コンテンツＤＢ２２２から投稿コンテンツを抽出する。その際、コンテンツ抽出部２１３は、受信したビーコン電波の電波強度のレベル（後述する）に応じて、コンテンツＤＢ２２２から投稿コンテンツを抽出する。
コンテンツ登録部２１５は、公開距離を、投稿コンテンツに対応付けてコンテンツＤＢ２２２に記憶させる。
記憶部２２０は、ユーザＤＢ２１と、コンテンツＤＢ２２２と、ビーコンＤＢ２３とを備える。
図１４に示すように、コンテンツＤＢ２２２は、投稿コンテンツを記憶する。コンテンツＤＢ２２２は、第１実施形態にあった公開権限及び公開範囲に代えて、公開距離（距離情報）である点を除き、第１実施形態（図４）と同様である。公開距離は、例えば、ビーコン電波の電波強度に関するレベルである。
【００５３】
次に、投稿閲覧システム２００で行う処理について説明する。
図１５は、第２実施形態に係る投稿閲覧システム２００での掲示板閲覧処理を説明するための図である。
図１６は、第２実施形態に係る携帯端末４での表示例を示す図である。
事前処理及びメイン処理は、第１実施形態（図５参照）と同様である。
【００５４】
＜掲示板閲覧処理＞
次に、掲示板閲覧処理（図６参照）において、携帯端末４は、掲示板の閲覧要求データを掲示板サーバ２０１に送信する際、ビーコンＩＤと、ユーザＩＤとの他に、電波強度に関するレベルデータをも送信する（図６のＳ２５に対応）。
ビーコン電波は、その強度を、例えば、レベルＬａ（近距離）からレベルＬｃ（遠距離）の３段階のレベルで表すことができるものとする。電波強度は、レベルＬａが最も大きく、レベルＬｃに近づくほど小さくなる。つまり、電波強度は、ビーコン端末７の設置位置に近ければ近いほど大きい。
掲示板サーバ２０１の制御部２１０（コンテンツ抽出部２１３）は、掲示板の閲覧要求データを受信して所定の投稿コンテンツを抽出する（図６のＳ２７に対応）。より詳細に説明すると、まず、コンテンツ抽出部２１３は、コンテンツＤＢ２２２から、受信したビーコンＩＤに対応する投稿コンテンツを抽出する。次に、コンテンツ抽出部２１３は、抽出した投稿コンテンツから、公開距離が受信したレベルデータと同じもの及びレベルデータの設定がないものをさらに抽出する。
【００５５】
携帯端末４とビーコン端末７Ｅとの間の距離と、携帯端末４に出力される投稿コンテンツとの関係を、図１５に示す。図１４に示すコンテンツＤＢ２２２の場合、ビーコン端末７Ｅと、携帯端末４との距離如何にかかわらず、コンテンツＩＤが「ＣＩＤ０１２」の投稿コンテンツが携帯端末４に出力される。そして、携帯端末４がビーコン端末７Ｅから遠い位置にある場合、つまり、携帯端末４が受信したビーコン電波の電波強度がレベルＬｃである場合には、上述した「ＣＩＤ０１２」の投稿コンテンツの他に、「ＣＩＤ０１３」の投稿コンテンツが携帯端末４に出力される。また、携帯端末４がビーコン端末７Ｅから中程度の位置にある場合、つまり、携帯端末４が受信したビーコン電波の電波強度がレベルＬｂである場合には、上述した「ＣＩＤ０１２」の投稿コンテンツの他に、「ＣＩＤ０１４」の投稿コンテンツが携帯端末４に出力される。さらに、図１５に示す例では、距離に応じた投稿コンテンツ（「ＣＩＤ０１３」及び「ＣＩＤ０４１」）は、その表示態様が、距離に関係ない投稿コンテンツ（「ＣＩＤ０１２」）とは異なっている。
【００５６】
＜掲示板投稿処理＞
次に、掲示板投稿処理（図８参照）において、投稿コンテンツの入力を受け付ける投稿コンテンツ入力部２６１ｄを、図１６（Ａ）に示す。投稿コンテンツ入力部２６１ｄは、第１実施形態（図９（Ａ））で公開権限及び公開範囲になっている部分が、代わりに公開距離になっている以外は、第１実施形態と同じである。ユーザが図１６（Ａ）に示す「送信」のボタンを選択することで、投稿コンテンツ入力部２６１ｄの内容のものを投稿すると、携帯端末４は、図１６（Ｂ）に示すような吹き出し２６１ｅが追加された閲覧ページ６１を表示する。
＜検索閲覧処理＞
検索閲覧処理は、第１実施形態（図１１参照）と同様である。
【００５７】
このように、第２実施形態によれば、投稿閲覧システム２００は、以下のような効果がある。
（１）携帯端末４が受信した位置でのビーコン端末７の電波強度により、ビーコン端末７と携帯端末４との間の距離が分かるので、両者の距離に応じた投稿コンテンツを投稿及び閲覧ができる。よって、投稿コンテンツの場所を、さらに細かく対応付けができる。これにより、スポット的な位置の投稿コンテンツの投稿及び閲覧ができるようになり、細かい位置において有益な投稿コンテンツを閲覧可能にできる。
（２）投稿コンテンツに対応付けられた公開距離に応じて、投稿コンテンツの表示態様を変化させたものにできる。よって、その細かい位置に関する投稿コンテンツを、一見して識別可能にできる。
【００５８】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００５９】
（変形形態）
（１）実施形態では、ビーコン端末を用いて、携帯端末の位置を取得するものとして説明したが、これに限定されない。例えば、携帯端末にＧＰＳ（Ｇｌｏｂａｌ  Ｐｏｓｉｔｉｏｎｉｎｇ  Ｓｙｓｔｅｍ）受信部を有し、携帯端末では、ＧＰＳ受信部によって携帯端末の位置を、緯度経度データとして取得し、掲示板サーバに緯度経度データを送信するものであってもよい。その場合に、掲示板サーバ側でも緯度経度データによって掲示板ＵＲＩを関連付けておき、携帯端末から受信した緯度経度データと、掲示板ＵＲＩに関連付けられた緯度経度データとにより、投稿コンテンツの投稿又は閲覧を許可するか否かを判断してもよい。そのようにしても、投稿コンテンツを位置情報に対応付けることができる。
【００６０】
（２）実施形態では、閲覧ページにおける投稿コンテンツの表示位置を、最新の投稿コンテンツが携帯端末の画面にスライド等させることなく表示されるようにするものとして説明したが、これに限定されない。投稿コンテンツの鮮度（新しさ）に応じて、表示態様を変化させてもよい。例えば、古い投稿コンテンツは、小さい文字によって表示したり、投稿コンテンツが表示されている部分の色を、文字色に近い色にしたりしてもよい。そのようにすることで、一見して投稿コンテンツが最近投稿された新しいものであるか、それとも古いものであるかをユーザが把握できるようになる。また、新しい投稿コンテンツをより見やすいものにできる。
【００６１】
（３）実施形態では、掲示板アプリに対象になるビーコンＩＤを記憶しておき、対象になるビーコンＩＤを含むビーコン電波を受信したか否かにより処理を分岐させたものとして説明したが、これに限定されない。例えば、対象になるビーコンＩＤは、掲示板サーバにのみ有していてもよい。その場合には、ビーコン電波を受信した場合には、そのビーコン電波のビーコンＩＤを掲示板サーバに送信し、掲示板サーバ側で、対象になるビーコンＩＤか否かを判断して、投稿及び閲覧を許可するか否かを判断してもよい。また、掲示板サーバでの対象になるビーコンＩＤを、携帯端末から掲示板サーバに対して照会するようにしてもよい。
【００６２】
（４）実施形態では、ユーザと友達関係にある他のユーザのユーザＩＤを登録することで、公開権限を、友達に指定可能であるものを説明したが、これに限定されない。例えば、ユーザＩＤに、ユーザを共通の性質で分類したグループを識別するグループデータを対応付けて、グループ内で投稿及び閲覧ができるようにしてもよい。グループデータは、例えば、友達関係にあるもの同士のグループであってもよいし、ユーザの属性（例えば、年齢、住所、性別、出身校等）が同じもの同士のグループであってもよい。また、グループデータは、ユーザが任意に作成してもよいし、ユーザの属性によって、掲示板サーバ側で自動的に作成してもよい。このようにすることで、グループでの公開等の設定ができるので、プライベートな範囲での投稿コンテンツの公開等、ユーザニーズに合った公開ができる。具体的には、例えば、初期ページにおいて、使用言語を選択するようにし、選択された言語に応じてグループデータの設定を自動的に行ってもよい。そのようにすることで、同じ言語の者同士でのコミュニケーションツールになり得る。
【００６３】
（５）実施形態では、掲示板アプリを起動したことで、ビーコン電波を受信したか否かを判断するものとして説明したが、これに限定されない。携帯端末は、例えば、ビーコン電波を受信したことで、掲示板アプリを起動させてもよい。そのようにすることで、ユーザが掲示板アプリを起動させる操作を省略できるので、携帯端末が掲示板に関連付けられたビーコン端末の位置に移動した場合に、初期ページを表示できる。
（６）実施形態でのコンテンツＤＢの項目は、一例にすぎない。例えば、公開時期を、投稿コンテンツを表示後１０秒間、等の設定も可能である。そのようにすることで、投稿コンテンツの表示に関する演出を、他の投稿コンテンツとは異なるものとすることができる。
【符号の説明】
【００６４】
１，２０１  掲示板サーバ
４    携帯端末
７，７Ａ，７Ｂ，７Ｅ  ビーコン端末
１０，４０，７０，２１０  制御部
１１  要求受信部
１２  許可判断部
１３，２１３  コンテンツ抽出部
１４  コンテンツ送信部
１５，２１５  コンテンツ登録部
２０，５０，７５，２２０  記憶部
２１  ユーザＤＢ
２２，２２２  コンテンツＤＢ
５１  掲示板アプリ
１００，２００  投稿閲覧システム
【図１】
2017068579.tif 000003
【図２】
2017068579.tif 000004
【図３】
2017068579.tif 000005
【図４】
2017068579.tif 000006
【図５】
2017068579.tif 000007
【図６】
2017068579.tif 000008
【図７】
2017068579.tif 000009
【図８】
2017068579.tif 000010
【図９】
2017068579.tif 000011
【図１０】
2017068579.tif 000012
【図１１】
2017068579.tif 000013
【図１２】
2017068579.tif 000014
【図１３】
2017068579.tif 000015
【図１４】
2017068579.tif 000016
【図１５】
2017068579.tif 000017
【図１６】
2017068579.tif 000018